【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
少なくともファイル管理情報が記録される第１の領域と、連続データの位置情報が記録される第２の領域と、連続データが記録される第３の領域とを有する媒体に対して連続データを記録する記録手段と、
外部からデータを入力する入力手段と、
上記入力手段から入力された連続データが上記第３の領域へ記録される際に、該連続データの記録開始及び記録終了に係る位置情報を上記第２の領域へ書込む制御手段とを備えること
を特徴とするデータ記録装置。
【請求項２】
上記ファイル管理情報は、少なくともファイル配置表情報及び階層内容情報を含むことを特徴とする請求項１記載のデータ記録装置。
【請求項３】
上記連続データは、音声／映像データであることを特徴とする請求項１記載のデータ記録装置。
【請求項４】
上記記録手段は、一定のデータ量のブロックを単位として連続データを記録することを特徴とする請求項１記載のデータ記録装置。
【請求項５】
上記位置情報は、上記第３の領域に記録される連続データの記録開始ブロック及び記録終了ブロックアドレスであることを特徴とする請求項４記載のデータ記録装置。
【請求項６】
上記連続データを構成する単位データの始点を検出する検出手段を有することを特徴とする請求項１記載のデータ記録装置。
【請求項７】
ホストコンピュータに接続され、上記入力手段から該ホストコンピュータに入力を切り換える切換手段を有することを特徴とする請求項１記載のデータ記録装置。
【請求項８】
上記媒体は、ハードディスクであることを特徴とする請求項１記載のデータ記録装置。
【請求項９】
上記連続データを記録再生させる際に該連続データを一時的に記憶する一時記憶手段と、
上記一時記憶手段のデータ単位サイズを制御する一時記憶制御手段とを有することを特徴とする請求項１記載のデータ記録装置。
【請求項１０】
媒体にデータを記録する記録手段と、外部からデータを入力する入力手段と、上記記録手段及び入力手段を制御する制御手段とを備えるデータ記録装置を用い、
上記記録手段が、少なくともファイル管理情報が記録される第１の領域と、連続データの位置情報が記録される第２の領域と、連続データが記録される第３の領域とを有する媒体に対して連続データを記録する工程と、
上記制御手段が、上記入力手段から入力された連続データが上記第３の領域へ記録される際に、該連続データの記録開始及び記録終了に係る位置情報を上記第２の領域へ書込む工程とを有すること
を特徴とするデータ記録方法。
【請求項１１】
上記ファイル管理情報は、少なくともファイル配置表情報及び階層内容情報を含むことを特徴とする請求項１０記載のデータ記録方法。
【請求項１２】
上記連続データは、音声／映像データであることを特徴とする請求項１０記載のデータ記録方法。
【請求項１３】
上記記録手段は、一定のデータ量のブロックを単位として連続データを記録することを特徴とする請求項１０記載のデータ記録方法。
【請求項１４】
上記位置情報は、上記第３の領域に記録される連続データの記録開始ブロック及び記録終了ブロックアドレスであることを特徴とする請求項１３記載のデータ記録方法。
【請求項１５】
上記連続データを構成する単位データの始点を検出する検出手段を有することを特徴とする請求項１０記載のデータ記録方法。
【請求項１６】
ホストコンピュータに接続され、上記入力手段から該ホストコンピュータに入力を切り換える切換手段を有することを特徴とする請求項１０記載のデータ記録方法。
【請求項１７】
上記媒体は、ハードディスクであることを特徴とする請求項１０記載のデータ記録方法。
【手続補正２】
【補正対象書類名】明細書
【補正対象項目名】００１１
【補正方法】変更
【補正の内容】
【００１１】
また、ＨＤＤ単体をデジタルストレージとして、これにカメラやデジタル放送受信機からの圧縮信号を入力させて連続デジタルデータを連続して記録しながら、自在に最小のランダムアクセス単位やフレーム単位での映像信号のアクセス、途中カット編集動作を行わせることはできなかった。


【手続補正３】
【補正対象書類名】明細書
【補正対象項目名】００１２
【補正方法】変更
【補正の内容】
【００１２】
一方、ＰＣペリフェラル周辺デバイスにおいては、ＯＳの認識できるＰＣ互換ファイルフォーマットで記述したデータは認識して利用できるが、上述のように論理ブロック単位で記録された場合には、そのデジタルデータはファイル化されておらず、ＰＣはＯＳを介してファイルアクセスして利用ができなかった。


【手続補正４】
【補正対象書類名】明細書
【補正対象項目名】００２２
【補正方法】変更
【補正の内容】
【００２２】
さらに、この発明は、ＯＳを介して動作するＰＣの制御プログラム処理方法としては、再生装置に内在する記録媒体に、第１の領域、第２の領域及び第３の領域を有する。この第１の領域に記述された、システムディスクの場合には例えば５５ＡＡｈで終わるＩＰＬ（initial program loader）領域とこれに続くファイル配置表情報データと階層内容情報データに含まれるファイルポインタは容量のデータの書き込みに使用する論理ブロック範囲へのアクセスを可能とするポインタ情報を含んでおり、ＯＳからのボリュームアクセスでは、このポインタの読み出しにより認識されるＯＳに互換な複数のファイルの存在とその媒体メディア上の占有位置を認識でさせている。一方でＯＳ上のアプリケーション内に組込んだ記憶媒体のドライバソフトは接続容量の第２の領域を容量全体の論理ブロック番号としてコントローラ内蔵レジスタに対してカウントして直接アクセスするファイルポインタを有してＯＳに対して割り込みサービス（INT13）をかけたエントリ操作で第２領域にアクセスする。ここでは第２の領域の先頭へのアクセスポインタをアプリケーションに組込まれたドライバクラスのソフトパラメタから引数として読み出して、第２の領域の先頭へアクセスさせる。


【手続補正５】
【補正対象書類名】明細書
【補正対象項目名】００３３
【補正方法】変更
【補正の内容】
【００３３】
上記バッファ３０は、バッファ制御部２６の制御の下にディスクの各セクタ単位の整数倍のデータサイズで構成された複数バンクメモリのアドレス切替え動作を行うＦＩＦＯ（first-in first-out）動作を行うバンクメモリ形式のＲＡＭであり、このバッファ３０への書込み処理と読み出し処理とのセクタ単位での書き込み処理と読み出し処理を行い、さらに複数バンクメモリ単位での切替えによりバンクメモリ切替え制御による並列処理動作を行うことが可能である。


【手続補正６】
【補正対象書類名】明細書
【補正対象項目名】００３４
【補正方法】変更
【補正の内容】
【００３４】
なお、ディスクストレージのデータ書き込み読み出し特性はセクタ単位で時間的に不連続に可能性があり、切替えられる各バンクメモリはこの特性に適合させるために、各バンクメモリに対する書き込み読み出しの１論理ブロック内の各データ小単位サイズとしては、ここでは説明例として通常ディスクコントローラが取り扱う１物理ブロックである１セクタ（＝５１２バイト）単位でのバンクメモリ切替えを行っており、バンクメモリ切替えデータ単位としては、よりローコストなドライブにおいてデータ処理メインメモリに行列構造のアドレスアクセスで各データバイトの列単位のアクセスを行うＤＲＡＭを使用する場合の各列のデータの整数倍を１バンクメモリ切替え単位とすること、また、外部ＰＣバス経由でアクセスするホストＰＣのＯＳの取扱いに整合する１論理ブロックである１クラスタとその整数倍を１バンクメモリ切替え単位とすること、あるいは外部からの伝送データの受け取り送り出しの場合の、伝送ブロック内のデータブロック単位とその整数倍を１バンクメモリ切り替え単位として使用することが有り得る。


【手続補正７】
【補正対象書類名】明細書
【補正対象項目名】００７３
【補正方法】変更
【補正の内容】
【００７３】
この論理ブロック領域は、ＭＳ−ＤＯＳ互換システムディスク形式で使用しているときには、図４に示すように、第１の領域７１はブートブロックであるＩＰＬ７２と、記憶されているファイルの目次情報でありファイル配置表情報からなるＦＡＴ７３と、ファイルの階層内容情報であるディレクトリ情報データ領域７４とを含んでいる。上記ＦＡＴ７３は、ファイル名称７３ａ、属性７３ｂ、時間７３ｃの各情報を保持している。そして、通常ＤＯＳ形式では、ＦＡＴ領域の媒体メディアの欠陥発生によるデータ破壊によりディスク上のファイルシステム全体の読み出し不可になったときに対処するために、ＦＡＴのコピーがこれに続いて用意されて配置されている。上記ディレクトリ情報データ領域７４は、第３の領域８０の論理ブロック領域の記録されている本説明におけるＯＳ形式であるＭＳ−ＤＯＳ互換形式でファイル化された各連続データに対するディレクトリ情報を保持している。